(57)【要約】【課題】金網体に歪みを生じることなくこれを確実にグリル開口に覆着固定する。  【解決手段】バンパ本体１の裏面の、グリル開口１１の開口縁１３に枠体５を装着して、枠体５に形成した支持枠部５２にグリル開口１１を覆う金網体４１の外周部前面を当接させる。所定高さで突出する取付部５３を枠体５に形成し、金網体４１の外周部後面に当接させた押え板６を取付部５３先端の座面にネジ６６により固定した状態で、押え板６と支持枠部５２との間の間隔が金網体４１の厚みと同程度になるようにする。これにより、金網体の面直方向への移動が規制される。金網体４１の面方向への移動規制はこれを押え板６に固着するテープによって行う。【選択図】        図４
2007253775.tif 000002
【特許請求の範囲】
【請求項１】
車両のバンパ本体に形成した開口に金網体を張設してグリルとしたバンパグリル構造において、前記バンパ本体の裏面の、前記開口の開口縁に外周部前面を当接させて前記開口を覆うように金網体を配設し、前記開口縁の複数箇所には前記バンパ本体側から所定高さで突出する取付部を形成するとともに、前記金網体の外周部後面に当接して当該金網体の面直方向への移動を規制する押え板を、当該押え板と前記開口縁との間の間隔が金網体の厚みと同程度に規制されるように、前記取付部先端の座面に当接させた状態で固定部材により当該取付部に固定し、かつ前記金網体の面方向への移動を規制する移動規制手段を設けた車両のバンパグリル構造。
【請求項２】
前記開口縁に枠体を装着して、当該枠体に形成した支持枠部に前記金網体の外周部前面を当接させ、かつ前記取付部を前記枠体に形成して、前記押え板を、当該押え板と前記支持枠部との間の間隔が金網体の厚みと同程度に規制されるように、前記取付部先端の座面に当接させた状態で固定部材により当該取付部に固定した請求項１に記載の車両のバンパグリル構造。
【請求項３】
前記押え板を、前記金網体の外周部後面の全周に当接する環状に形成するとともに、前記押え板には前記開口内を横切りその対向辺を連結する連結辺を形成した請求項１又は２に記載の車両のバンパグリル構造。
【発明の詳細な説明】
【技術分野】
【０００１】
本発明は車両のバンパグリル構造に関し、特に、グリル開口に金網体を装着したバンパグリルの構造改良に関する。
【背景技術】
【０００２】
特許文献１には、バンパ本体に設けたグリル開口にネットを張設した車両のバンパグリル構造が示されている。ここでは、上記グリル開口の開口縁裏面に車両ボデー側へ突出するボス部を形成し、ボス部端面上にネットの外周縁を当接させるとともに、当該外周縁を貫通させたネジを上記端面に捩じ込んで、ネジ頭部と端面との間でネット外周縁を挟んで位置決め固定している。  
【特許文献１】特開平３−１９３５４３
【発明の開示】
【発明が解決しようとする課題】
【０００３】
ところで、意匠上の観点より比較的太い針金材を荒く編んだ金網体をグリル開口に装着したいという要請があるが、これに上記従来のバンパグリル構造を適用すると、金網体を面直方向および面方向のいずれにも確実に位置決め固定するためにはネジをしっかり捩じ込む必要があるが、捩じ込んだ際にネジ頭部によって厚みのある上記金網体が局部的に過度に押されてこの部分が歪み変形し、このために十分な締め付けトルクを得ることができないという問題がある。
【０００４】
そこで、本発明はこのような課題を解決するもので、金網体に歪みを生じることなくこれを確実にグリル開口に覆着し位置決めできる車両のバンパグリル構造を提供することを目的とする。
【課題を解決するための手段】
【０００５】
上記目的を達成するために、本第１発明では、車両のバンパ本体（１）に形成した開口（１１，１２）に金網体（４１，４２）を張設してグリルとしたバンパグリル構造において、バンパ本体（１）の裏面の、上記開口（１１，１２）の開口縁（１３，１６）に外周部前面を当接させて上記開口（１１，１２）を覆うように金網体（４１，４２）を配設し、開口縁（１３，１６）の複数箇所にはバンパ本体（１）側から所定高さで突出する取付部（５３，７３）を形成するとともに、金網体（４１，４２）の外周部後面に当接して当該金網体の面直方向への移動を規制する押え板（６，８）を、当該押え板（６，８）と開口縁（１３，１６）との間の間隔が金網体（４１，４２）の厚みと同程度に規制されるように、上記取付部（５３，７３）先端の座面に当接させた状態で固定部材（６６，８４）により当該取付部（５３，７３）に固定し、かつ前記金網体（４１，４２）の面方向への移動を規制する移動規制手段（４１１，４２１）を設ける。移動規制手段は例えば、押え板（６）に折り曲げ係止される金網体（４１）の針金端（４１１）、あるいは上記取付部（７３）の周囲の、金網体（４２）外周に形成された切欠き（４２１）等で構成することができる。
【０００６】
本第１発明において、バンパ本体側に押え板を固定した状態で、金網体の後面に当接する上記押え板と、金網体の前面に当接するバンパ本体開口縁との間の間隔は取付部によって金網体の厚みと同程度になるように規制されているから、過度な力を受けて歪み変形することなく金網体は押え板と開口縁とで面直方向への移動を規制される。同時に、金網体は移動規制手段によって面方向への移動も規制されるから、金網体は面直方向および面方向のいずれにも移動することなく位置決めされる
【０００７】
本題２発明では、上記開口縁（１３，１６）に枠体（５，７）を装着して、当該枠体（５，７）に形成した支持枠部（５２，７２）に金網体（４１，４２）の外周部前面を当接させ、かつ上記取付部（５３，７３）を枠体（５，７）に形成して、上記押え板（６，８）を、当該押え板（６，８）と支持枠部（５２，７２）との間の間隔が金網体（４１，４２）の厚みと同程度に規制されるように、取付部（５３，７３）先端の座面に当接させた状態で固定部材（６６，８４）により当該取付部（５３，７３）に固定する。
【０００８】
本第２発明において、枠体に押え板を固定した状態で、金網体の後面に当接する上記押え板と、金網体の前面に当接する支持枠部との間の間隔は取付部によって金網体の厚みと同程度になるように規制されているから、過度な力を受けて歪み変形することなく金網体は押え板と支持枠部とで面直方向への移動を規制される。本第２発明においては、予め金網体を押え板と移動規制手段とで枠体に位置決め固定しておき、この枠体をバンパ本体に装着することによって、組み付けを容易に行うことができる。
【０００９】
本第３発明では、上記押え板（６，８）を、金網体（４１，４２）の外周部後面の全周に当接する環状に形成するとともに、押え板（６，８）には上記開口（１１，１２）内を横切りその対向辺（６１，６２，８１，８２）を連結する連結辺（６３，８３）を形成する。
【００１０】
本第３発明においては、連結辺の存在によって、対向辺が湾曲変形してその間隔が変動する等の問題を生じず、金網体が確実に挟持される。
【００１１】
なお、上記カッコ内の符号は、後述する実施形態に記載の具体的手段との対応関係を示すものである。
【発明の効果】
【００１２】
以上のように、本発明に係る車両のバンパグリル構造によれば、金網体に歪みを生じることなくこれを確実にグリル開口に覆着固定することができる。
【発明を実施するための最良の形態】
【００１３】
図１には車両フロントバンパのバンパ本体略半部を前方から見た斜視図を示す。図１において、バンパ本体１の中央部には上下位置にそれぞれ上側グリル２と下側グリル３が形成されている。両グリル２，３はいずれもバンパ長手方向へ延びる開口１１，１２に金網体４１，４２を張設したもので、上側グリル２の詳細を図２〜図５に示す。ここで、図２は上側グリル２を裏面側から見た略半部正面図、図３〜図５はそれぞれ、図２のIII−III線、IV−IV線、V−V線に沿った断面図である。
【００１４】
図３〜図５において、上側グリル２のグリル開口１１の開口縁１３は後方、すなわち車両ボデー方向へ湾曲しており、その先端部には枠体５が装着されている。枠体５はその全周に略Ｕ字断面の基部５１を備えており、この基部５１が上記開口縁１３の先端部に覆着されている。基部５１には周方向の複数箇所に長穴状の取付孔５１１が形成されて（図２）、これら取付孔５１１のいくつかには、グリル開口１１の開口縁１３の複数箇所に形成された係止片１４（図３、図５）が挿入されて、その先端の爪部１４１が取付孔５１１の周縁に係止されている。また、残る取付孔５１１内には上記開口縁１３の複数箇所に形成された溶着片１５が挿入されて（図５）、その先端が熱カシメによって取付孔５１１の周縁に係止される。
【００１５】
枠体５の基部５１からは後方へ支持枠部５２が延びており、支持枠部５２の先端に金網体４１の外周部前面が当接している。金網体４１は比較的太い針金材を荒く編んだもので、針金材は全体が波打つように湾曲しているため、厚み方向の荷重が印加すると湾曲頂部が押圧されて厚み方向へ比較的容易に変形する。このような金網体４１の外周部後面には全周に押え板６（図３〜図５）が当接させてある。押え板６は金属板を枠体５に沿った環状に成形したもので（図２）、その上下辺６１，６２は長手方向中央部で連結辺６３によって連結されている。
【００１６】
上記基部５１の頂面には図４に示すように、周方向の複数箇所に取付部５３が後方へ向けて突出形成されており、取付部５３の中心には螺入孔５３１が形成されて先端の座面に開口している。一方、押え板６の周方向複数箇所に取付片６４，６５（図２）が形成されてその先端が上記座面上に位置し、当該先端に設けた貫通孔内に挿入されたネジ６６を上記螺入孔５３１内に捩じ込んで押え板６が枠体５に固定されている。ここで、押え板６の下側辺６２（図２）の取付片６５は取付部５３の座面に向けて大きく屈曲延出している（図３、図４）。
【００１７】
上記のように枠体５の取付部５３に固定された状態で、金網体４１の後面に当接する押え板６の板面と、金網体４１の前面に当接する支持枠部５２の先端面との間の間隔は、上記取付部５３の突出高によって金網体４１の厚みと同程度に規制されており、金網体４１は押え板６と支持枠部５２とで面直方向への移動を規制されて位置決めされる。このような構造により、金網体４１が押え板６から過度な力を受けて歪み変形することが避けられるとともに、螺入孔５３１内に捩じ込まれたネジ６６には適切な締め付けトルクが得られる。そして、この押え板はその上下辺６１，６２が長手方向中央部で連結辺６３によって連結されているから、上下辺６１，６２が湾曲変形してその間隔が変動する等の問題は生じず、金網体４１が確実に保持される。
【００１８】
また、金網体４１はその外周の適宜箇所で折り曲げられた移動規制手段としての針金端４１１（図２）が押え板６の外周部に係止されて、面方向への金網体４１の移動が規制され位置決めされている。また、金網体４１の外周は適宜箇所が押え板６の上辺にテープ６７（図２、図３）によって固定されている。なお、上側グリル２の組み立ては、上記金網体４１を予め押え板６等によって枠体５に位置決め固定しておき、この後、枠体５をバンパ本体１に装着することによって簡易に行うことができる。
【００１９】
次に、下側グリル３の詳細を図６〜図８に示す。ここで、図６は下側グリル３を裏面側から見た略半部正面図、図７、図８はそれぞれ、図６のVII−VII線、VIII−VIII線に沿った断面図である。
【００２０】
図７、図８において、下側グリル３のグリル開口１２の開口縁１６は後方、すなわち車両ボデー方向へ湾曲しており、その先端部には枠体７が装着されている。枠体７はその全周に略Ｕ字断面の基部７１を備えており、この基部７１が上記開口縁１６の先端部に覆着されている。基部７１には周方向の複数箇所に長穴状の取付孔７１１が形成されて（図６）、これら取付孔７１１に、グリル開口１２の開口縁１６の複数箇所に形成された係止片１７が挿入されて（図７）、その先端の爪部１７１が取付孔７１１の周縁に係止されている。
【００２１】
枠体７の基部７１からは内方へ支持枠部７２が延びており、支持枠部７２の、後方へ湾曲した先端に金網体４２の外周部前面が当接している（図８）。金網体４２は比較的太い針金材を荒く編んだもので、針金材は全体が波打つように湾曲しているため、厚み方向の荷重が印加すると湾曲頂部が押圧されて厚み方向へ比較的容易に変形する。このような金網体４２の外周部後面には全周に押え板８が当接させてある。押え板８は金属板を枠体７に沿った環状に成形したもので、その上下辺８１，８２は長手方向中央部で連結辺８３によって連結されている（図６）。
【００２２】
上記支持枠部７２には周方向の複数箇所に取付部７３（図７）が後方へ突出させて設けてあり、取付部７３の端面である座面には螺入孔７３１が設けてある。押え板８の周方向複数箇所には貫通孔が形成されて上記座面上に位置し、貫通孔内に挿入されたネジ８４を上記螺入孔７３１内に捩じ込んで押え板８が枠体７に固定されている。枠体７の取付部７３に固定された状態で、金網体４２の後面に当接する押え板８の板面と、金網体４２の前面に当接する支持枠部７２の先端面との間の間隔は、上記取付部７３の突出高によって金網体４２の厚みと同程度に規制されており、金網体４２は押え板８と支持枠部７２とで面直方向への移動を規制されて位置決めされる。このような構造により、金網体４２が過度な力を受けて歪み変形することが避けられるとともに、螺入孔５３１内に捩じ込まれたネジ６６には適切な締め付けトルクが得られる。そして、押え板８はその上下辺８１，８２が長手方向中央部で連結辺８３によって連結されているから、上下辺８１，８２が湾曲変形してその間隔が変動する等の問題は生じず、金網体４２は確実に保持される。
【００２３】
また、金網体４２はその外周部のうち適宜箇所が切り欠かれて移動規制手段としての切欠き４２１（図７）となり、ここに上記取付部７３が位置して、これによって面方向への金網体４１の移動が規制され位置決めされている。下側グリル３の組み立ては、上記金網体４２を予め押え板８等によって枠体７に位置決め固定しておき、この後、枠体７をバンパ本体１に装着することによって簡易に行うことができる。
【図面の簡単な説明】
【００２４】
【図１】本発明の一実施形態を示す、車両フロントバンパのバンパ本体略半部の前方斜視図である。
【図２】上側グリル２を裏面側から見た略半部正面図である。
【図３】図２のIII−III線に沿った断面図である。
【図４】図２のIV−IV線に沿った断面図である。
【図５】図２のV−V線に沿った断面図である。
【図６】下側グリル３を裏面側から見た略半部正面図である。
【図７】図６のVII−VII線に沿った断面図である。
【図８】図６のVIII−VIII線に沿った断面図である。
【符号の説明】
【００２５】
１…バンパ本体、１１，１２…グリル開口（開口）、１３，１６…開口縁、４１，４２…金網体、４２１…切欠き（移動規制手段）、５…枠体、５２…支持枠部、５３…取付部、６…押え板、６１…上辺（対向部）、６２…下辺（対向部）、６３…連結辺（連結部）、６６…ネジ（固定部材）、６７…テープ（移動規制手段）、７…枠体、７２…支持枠部、７３…取付部、８…押え板、８１…上辺（対向部）、８２…下辺（対向部）、８３…連結辺（連結部）、８４…ネジ（固定部材）。
【図１】
2007253775.tif 000003
【図２】
2007253775.tif 000004
【図３】
2007253775.tif 000005
【図４】
2007253775.tif 000006
【図５】
2007253775.tif 000007
【図６】
2007253775.tif 000008
【図７】
2007253775.tif 000009
【図８】
2007253775.tif 000010